(57)【特許請求の範囲】
【請求項１】
短尺のリーダマストに昇降動自在に装着された駆動部に長尺の掘削ロッドを該駆動部を上下方向に貫通して上方に延出させ、この掘削ロッドの上部に該ロッド内に設けられた薬液流通孔を通じて薬液を供給するスイベル装置を備えた掘削機において、前記スイベル装置の固定側部材から前記リーダマスト側に突出する反力受アームを上下方向回動自在に該固定側部材に設け、この反力受アームにワイヤの一端を接続して垂下するとともにこのワイヤの他端をウインチに連結し、前記反力受アームにガイドローラを軸着して前記リーダマストに設けられたガイドレールに係合自在に形成し、前記リーダマストの上端にワイヤ案内用シーブを設けたことを特徴とする掘削機におけるスイベル装置の共回り防止装置。
【発明の詳細な説明】
【０００１】
【発明の属する技術分野】
本発明は薬液供給用のスイベル装置を備えた掘削機に係り、特にスイベル装置の共回り防止装置に関する。
【０００２】
【従来の技術】
従来から、短尺のリーダマストに昇降動自在に装着された駆動部に長尺の掘削ロッドを該駆動部を上下方向に貫通して上方に延出させ、この掘削ロッドの上方部に該ロッド内に設けられた薬液流通孔を通じて地中に薬液を供給するためのスイベル装置を備えた掘削機がある。
【０００３】
上記のようなスイベル装置を備える掘削機においては、掘削ロッドの回転に対しスイベル装置の外側の固定側部材が共回りしないようにするための共回り防止手段が設けられている。
【０００４】
従来の上記共回り防止手段は、例えば特開平５−２３９９８３号公報に記載のものがある。この公報に記載の装置は、スイベル装置の固定側部材にその両側方に延びる横木部材を取付け、この横木部材の両端に結着した各ワイヤの他端を結合部を介して作業車両（ベースマシン）に搭載の張力付与ドラム装置に巻回するようにし、左右のワイヤに緊張を与えることによって横木部材を介しスイベル装置の固定側部材の回り止めをなさしめるように構成されている。
【０００５】
【発明が解決しようとする課題】
しかして上記従来の装置では、作業の状況により左右のワイヤの張力が変動するので常に両ワイヤにテンションを付与しておかなければならず、そのため特別な張力付与手段等を付設することが必須となって装置自体が大掛りなものとならざるを得ないうえ、スイベル装置の両側に横木部材が大きく張出すと同時に左右のワイヤが存在することになるので、狭隘な作業現場における施工、特に敷地のコーナー部での施工時に著しく支障をきたすという問題点がある。
【０００６】
【課題を解決するための手段】
本発明は、簡単な構造によりスイベル装置の共回りを防止することができ、また側方へ張出す部材を要することなく共回りを防止し得て、狭隘な現場であっても支障なく使用することを可能とするもので、前記スイベル装置の固定側部材から前記リーダマスト側に突出する反力受アームを上下方向回動自在に該固定側部材に設け、この反力受アームにワイヤの一端を接続して垂下するとともにこのワイヤの他端をウインチに連結し、前記反力受アームにガイドローラを軸着して前記リーダマストに設けられたガイドレールに係合自在に形成し、前記リーダマストの上端にワイヤ案内用シーブを設けたことにある。
【０００７】
【発明の実施の形態】
以下、本発明を図面に示す実施の形態を参照して説明する。
【０００８】
図１は掘削機全体の概要を示すもので、自走可能なベースマシン１の支持部に短尺のリーダマスト２の下端が軸３により支持され、その上方位置とベースマシン１とは油圧シリンダ４により連結されていて垂直姿勢または前・後傾姿勢に支持することができるようになされており、このリーダマスト２の前面側の上下方向に設けられたガイドレール５にそって駆動部６が図示しないワイヤにより昇降自在に装着されている。
【０００９】
前記駆動部６には断面角形状の掘削ロッド７が上下に貫通して上方に延出されており、駆動部６に搭載の油圧モータ９により周知のように回転伝達機構を通じて掘削ロッド７に回転を与えるとともにロック自在とされている。また掘削ロッド７の下方部はベースマシン１にチャック装置１０により保持され、掘削ロッド７の下端には掘削ヘッド１１が設けられており、その上方位置には撹拌翼１２が設けられている場合を示している。
【００１０】
前記掘削ロッド７内にはセメントミルク等の薬液を通すための薬液流通孔１３が設けられ、掘削ロッド７の下端の掘削ヘッド１１部分から掘削地盤中に薬液を噴出供給するようになされている。
【００１１】
前記掘削ロッド７の上端には、前記薬液流通孔１３へ薬液を供給するための回転継手構造のスイベル装置１４が設けられ、ベースマシン１または地上に設置される薬液供給源（図示省略）に連通する薬液供給用ホース１５がスイベル装置１４の固定側部材１４ａに接続されている。
【００１２】
前記スイベル装置１４の固定側部材１４ａの軸受部１４ｂには、図２に拡大して示し、図３に図２の平面図を示すように、リーダマスト側に突出する反力受アーム１６が軸１７により水平姿勢から図２に鎖線で示すように上方に回動自在に取付けられている。
【００１３】
上記反力受アーム１６の先端にはガイドローラ１８，１８が軸着されているとともにワイヤ１９の一端が接続されており、このワイヤ１９はリーダマスト２の上端に回転自由に軸着されたワイヤ案内用シーブ２０を経由してリーダマスト２の下方位置に設けられたワイヤ巻取用ウインチ２１に連結されて巻取り自在とされている。
【００１４】
前記ガイドローラ１８，１８は片側にフランジ１８ａ，１８ａを有するもので、反力受アーム１６の先端は２又状となっていてその各軸受部１６ａ，１６ａの内面側に前記フランジ１８ａが位置するようにしてその軸受部１６ａ，１６ａに軸２２，２２により同一軸線上に回転自由に取付けられており、前記ワイヤ１９は上記軸受部１６ａ，１６ａの間に位置するワイヤ連結部１６ｂに連結具１９ａを介して連結されている。
【００１５】
前記リーダマスト２には掘削ロッド８に面する側面の両側位置に前記ガイドローラ１８，１８が係合し得るガイドレール２３，２３が上下方向に設けられ、このガイドレール２３，２３の上端は前記ワイヤ案内用シーブ２０を越えて上方に延び、その延長部２３ａの上端部分は該シーブ２０の上方に向け傾斜されており、この傾斜部２３ｂの上端位置にガイドローラ１８，１８が到達したとき前記反力受アーム１６が略水平姿勢になるように構成されている。
【００１６】
次に上記実施形態の作用を説明する。
【００１７】
反力受アーム１６に連結されているワイヤ１９をウインチ２１により巻取ってワイヤ１９を緊張状態に保ち、駆動部６の油圧モータ９を駆動して掘削ロッド７を回動させ、掘削ヘッド１１により地盤を掘削し、薬液はその供給用ホース１５からスイベル装置１４を通じて掘削ロッド７内の薬液流通孔１３へ供給され、掘削ロッド７の下端から地中に噴射される。
【００１８】
掘削ロッド７による掘削が進み、これに伴い反力受アーム１６が下降してリーダマスト２の上端に至ると、反力受アーム１６の先端のガイドローラ１８，１８がガイドレール２３，２３の上端の傾斜部２３ｂに当り、その反力により反力受アーム１６は軸１７を中心に上方に回動しながら下降し、ガイドレール２３，２３の延長部２３ａの垂直部分を経てガイドレール２３，２３にローラ１８，１８が係合すると、図２の下方に図示しているように反力受アーム１６は上方へ回動した姿勢のままリーダマスト２にそって下降し、そのガイドローラ１８，１８とガイドレール２３，２３との係合により反力受アーム１６の左右への振れが拘束されながら掘削作業の方は支障なく行われる。
【００１９】
したがって、反力受アーム１６がリーダマスト２の上端に到達するまでの間は反力受アーム１６はワイヤ１９による引張力により左右への振れが抑えれられ、反力受アーム１６のガイドローラ１８，１８がリーダマスト２のガイドレール２３，２３に係合すればその係合によって左右への振れが防止され、これらによりスイベル装置１４の共回りが防がれる。
【００２０】
駆動部６が地表に近ずく位置まで下降したら、下部チャック装置１０により掘削ロッド７を保持させ、次いで駆動部６による掘削ロッド７の挟持を解いて駆動部６を上昇させ、駆動部６が所定の高さ位置に上昇したとき再び掘削ロッド７を挾持して２ストローク目の作業に入る。
【００２１】
【発明の効果】
以上説明したように本発明によれば、掘削ロッドの上端に設けられる薬液供給用のスイベル装置の固定側部材から前記リーダマスト側に突出する反力受アームを設け、このアームに一端を接続したワイヤをウインチに巻回して緊張自在とするとともに反力受アームの先端にガイドローラを軸着してこのガイドローラをリーダマストに設けたガイドレールに係合自在とし、反力受アームがリーダマストの上端に到達するまでの間は反力受アームはワイヤによる引張力により左右への振れが抑えられ、反力受アームのガイドローラがリーダマストのガイドレールに係合したときその係合によって左右への振れを防止し、これらによりスイベル装置の共回りを防止するようにしたので、掘削機から部材を大きく張出すことなくしかも簡単な構成によりスイベル装置の共回りを防止することができ、本来の掘削作業に何ら支障をきたすことがなく、かつ安価に得ることができる。
【図面の簡単な説明】
【図１】本発明の一実施形態の概要を示す側面図。
【図２】図１における掘削ロッドの上部の拡大図。
【図３】図２平面図。
【符号の説明】
１  ベースマシン
２  リーダマスト
６  駆動部
７  掘削ロッド
９  油圧モータ
１０  下部チャック装置
１１  掘削ヘッド
１２  攪拌翼
１３  薬液流通孔
１４  スイベル装置
１４ａ  固定側部材
１５  薬液供給用ホース
１６  反力受アーム
１８  ガイドローラ
１９  ワイヤ
２０  ワイヤ案内用シーブ
２１  ワイヤ巻取用ウインチ
２３  ガイドレール
２３ａ  延長部
２３ｂ  傾斜部
【図１】
0003770987.tif 000002
【図２】
0003770987.tif 000003
【図３】
0003770987.tif 000004